(57)【要約】【課題】高い精度で、容易に眼の表現を形成可能な形象物を提供すること。【解決手段】眼部品を顔面部品に組み付けて顔を形成する形象物であって、前記眼部品は、眼基礎部品と、前記眼基礎部品の少なくとも一部を被覆して前記眼基礎部品と一体に成形された眼表現部品とを備え、前記顔面部品には、前記眼部品が組み付けられた際に、前記眼部品の一部が露出する孔部が形成されている。【選択図】  図２
2020108845.tif 000002
【特許請求の範囲】
【請求項１】
眼部品を顔面部品に組み付けて顔を形成する形象物であって、
前記眼部品は、眼基礎部品と、前記眼基礎部品の少なくとも一部を被覆して前記眼基礎部品と一体に成形された眼表現部品とを備え、
前記顔面部品には、前記眼部品が組み付けられた際に、前記眼部品の一部が露出する孔部が形成されていることを特徴とする形象物。
【請求項２】
前記眼部品は、前記眼基礎部品を含む１次成形品と前記眼基礎部品とは異なる少なくとも一種類の樹脂からなる前記眼表現部品とを一体の成形品とすることを特徴とする請求項１に記載の形象物。
【請求項３】
前記眼部品は、複数種類の樹脂を使用したインサート成形を繰り返すことで成形されることを特徴とする請求項２に記載の形象物。
【請求項４】
前記顔面部品は、表情部品と、前記表情部品の少なくとも一部を被覆して前記表情部品と一体に成形された肌部品とを備え、
前記表情部品は、前記肌部品から露出することで、少なくともまつ毛または眉毛のいずれか一方を表現することを特徴とする請求項１乃至３のいずれか１項に記載の形象物。
【請求項５】
前記顔面部品は、表情部品の１次成形品を用いて、複数種類の樹脂を使用したインサート成形を繰り返すことで、前記表情部品及び前記肌部品が一体の成形品として成形されることにより形成されることを特徴とする請求項４に記載の形象物。
【請求項６】
前記顔面部品は、前段階成形により形成された前記表情部品と前記表情部品とは異なる少なくとも一種類の樹脂からなる前記肌部品とが一体の成形品として成形されることにより形成されていることを特徴とする請求項４に記載の形象物。
【請求項７】
前記顔面部品は、前記前段階成形において、１次成形により形成された１次表情部品を用いて、複数種類の樹脂を使用したインサート成形を繰り返すことで成形されることを特徴とする請求項６に記載の形象物。
【請求項８】
前記表情部品は、
少なくとも前記孔部の周縁の一部に配置され、まつ毛を表現するまつ毛部分と、
前記まつ毛部分からは離れて配置された眉毛部分と、
を含み、
前記まつ毛部分と前記眉毛部分とは異なる樹脂で成形されることを特徴とする請求項４乃至７のいずれか１項に記載の形象物。
【請求項９】
前記眼部品と前記顔面部品とは異なる光沢を有することを特徴とする請求項１に記載の形象物。
【請求項１０】
眼基礎部品と前記眼基礎部品と一体に成形された眼表現部品とを備える眼部品を顔面部品に組み付けて顔を形成する形象物の製造方法であって、
前記眼基礎部品を成形する眼基礎部品成形工程と
前記眼基礎部品と前記眼基礎部品とは異なる少なくとも一種類の樹脂からなる前記眼表現部品とを一体の成形品として成形することにより前記眼部品を成形する眼部品成形工程と、
前記眼部品が組み付けられた際に、前記眼部品の一部が露出する孔部が形成されるように前記顔面部品を成形する顔面部品成形工程と、
を備えることを特徴とする形象物の製造方法。
【請求項１１】
眼基礎部品と前記眼基礎部品と一体に成形された眼表現部品とを備える眼部品を、表情部品と前記表情部品と一体に成形された肌部品とを備える顔面部品に組み付けて顔を形成する形象物の製造方法であって、
前記眼基礎部品を成形する眼基礎部品成形工程と
前記眼基礎部品と前記眼基礎部品とは異なる少なくとも一種類の樹脂からなる前記眼表現部品とを一体の成形品として成形することにより前記眼部品を成形する眼部品成形工程と、
前記表情部品と前記表情部品とは異なる少なくとも一種類の樹脂からなる前記肌部品とが一体となった成形品として形成され、前記眼部品が組み付けられた際に前記眼部品の一部が露出する孔部が形成され、前記表情部品が前記肌部品から露出することで、少なくともまつ毛または眉毛のいずれか一方が表現された前記顔面部品を成形する顔面部品成形工程と、
を備えることを特徴とする形象物の製造方法。
【請求項１２】
眼部品成形工程では、複数種類の樹脂を使用したインサート成形を繰り返すことを含むことを特徴とする請求項１０または１１に記載の製造方法。
【発明の詳細な説明】
【技術分野】
【０００１】
本発明は、形象物及び形象物の製造方法に関するものである。
【背景技術】
【０００２】
従来より、例えばフィギュアの顔表現（眼やまつ毛等）は、フィギュアの表情を左右するとともにフィギュアの価値を決定する上で非常に重要な部位である。例えば、特許文献１には、人形用眼球の製造方法であって、印刷によって眼球の黒目を模した塗膜に弾力性のあるシリコン樹脂等の当接体を押し付けて、付着した塗膜を眼球を模した球面に転写する技術が記載されている。こうすることで、印刷によって形成した黒目の図柄を塗膜の転写によって眼球面に形成して、高い精度で黒目を表現することができる。
【先行技術文献】
【特許文献】
【０００３】
【特許文献１】特開２０１２−２４３８２号公報
【発明の概要】
【発明が解決しようとする課題】
【０００４】
しかし、印刷により眼を表現しようとすると、眼球面に対してずれるおそれがある。フィギュアの顔のような、顔表現部材の位置が少しでもおかしくなると違和感を感じる商品においては、眼の位置がずれた眼球は商品の価値を損なうことになり兼ねない。
【０００５】
またユーザに組み立ての一部を実行させるプラスチックモデルによるフィギュアの場合、従来からフィギュアの眼や顔の表現はシールで行なっていた。しかし、ユーザによるシール貼り工程に時間が掛かったり、シールずれが生じる場合もあり、ユーザにとっても違和感のない形でシールを貼るには技術が必要で満足のいく完成品とすることが難しかった。
【０００６】
本発明は、高い精度で、容易に眼の表現を形成可能な形象物を提供する。
【課題を解決するための手段】
【０００７】
本発明の一態様によると、例えば、眼部品を顔面部品に組み付けて顔を形成する形象物であって、前記眼部品は、眼基礎部品と、前記眼基礎部品の少なくとも一部を被覆して前記眼基礎部品と一体に成形された眼表現部品とを備え、前記顔面部品には、前記眼部品が組み付けられた際に、前記眼部品の一部が露出する孔部が形成されている。
【発明の効果】
【０００８】
本発明によれば、高い精度で、容易に眼の表現を形成可能な形象物を提供することができる。
【図面の簡単な説明】
【０００９】
【図１】本発明の実施形態に係る形象物の（Ａ）は表面、（Ｂ）は裏面の斜視図。
【図２】形象物の分解斜視図。
【図３】眼部品の（Ａ）は一次成形品、（Ｂ）は二次成形品、（Ｃ）は三次成形品の斜視図。
【図４】顔面部品の（Ａ）は表面、（Ｂ）は裏面の斜視図。
【図５】表情部品の（Ａ）は一次成形品、（Ｂ）は二次成形品、（Ｃ）は三次成形品の斜視図。
【発明を実施するための形態】
【００１０】
以下、本発明の例示的な実施形態について図面を参照して説明する。なお、各図において、同じ参照符号は、同じ要素を示している。また、各図において、紙面に対する上下左右方向を、本実施形態における装置の上下左右方向として、本文中の説明の際に用いることとする。なお本発明は、以下に説明する実施形態において成形素材として異なる色の樹脂材料を例示するがこれに限定されず、例えば異なる材質（ポリスチレン、ポリエチレン、ＡＢＳ等の熱可塑性樹脂、熱硬化性樹脂、金属等）、異なる透明度の樹脂等の成形素材にも適用可能である。
【００１１】
図１に本発明の実施形態に係る形象物Ａを示す。以下に説明する形象物Ａは、人の顔を模したフィギュアを例示するが、これに限定されず、特に眼を備える形象物であれば、例えば動物、昆虫、恐竜、魚類等の生き物や、目に相当する部分を備えるキャラクター等の形象物でもよい。
【００１２】
形象物Ａは、眼部品１０を顔面部品２０に組み付けて顔を形成する。図１（Ａ）は、形象物Ａの表側を示し、図１（Ｂ）は形象物Ａの裏側を示す。なお本実施形態における形象物Ａの裏側は、図示しない髪パーツ等によって覆われて、フィギュアが完成した後に外部に曝されることはない。図２に眼部品１０と顔面部品２０とを分解した分解斜視図を示す。眼部品１０は、顔面部品２０の裏側から組み付けられ、顔面部品２０に形成された孔部２０ａから眼部品１０の一部で眼１０ａを構成する部分が露出する。
【００１３】
＜眼部品１０＞
本実施形態において眼部品１０は、４色の樹脂を使用したインサート成形及び多色成形によって形成される。眼部品１０は、眼基礎部品１１と、眼基礎部品１１の少なくとも一部を被覆して一体に成形された複数の眼表現部品１２、１３、１４とを備える。図３に眼部品１０が形成されるまでの、成形工程における各段階の成形品を示す。
【００１４】
図３（Ａ）は、１次成形品Ｅ１としての眼基礎部品１１を示す。図３（Ｂ）は、眼基礎部品１１を用いたインサート成形（眼基礎部品１１をインサート部品としたインサート成形）で、眼基礎部品１１と１種類の異なる樹脂材料からなる第１眼表現部品１２とを一体の成形品とした２次成形品Ｅ２を示す。図３（Ｃ）は、２次成形品Ｅ２に対して、２種類の異なる樹脂材料からなる第２眼表現部品１３及び第３眼表現部品１４を用いて同時に多色成形を行った３次成形品Ｅ３を示す。本実施形態においては、３次成形品Ｅ３が眼部品１０の最終成形品となる。
【００１５】
各図において図中上下方向３段にわたって各成形品の異なった方向から見た斜視図が示されており、最上段が成形品を略正面から見た斜視図、中段が斜め上方から見た斜視図、下段が下方から見た斜視図の斜視図である。なお正面とは、形象物Ａの顔の正面であり、上方とは、形象物Ａの上方（例えば頭部）、下方とは、形象物Ａの下方（例えば顔の顎部分）から見た状態を示す。
【００１６】
図３（Ａ）は、眼部品１０の眼基礎部品１１を含む１次成形品Ｅ１を示す。本実施形態において眼基礎部品１１は白色の樹脂材料で成形され、フィギュアの眼１０ａにおける白い部分を構成する。最終成形品において表面に露出する箇所を第１露出部１１ａで示す。
【００１７】
図３（Ｂ）は、眼基礎部品１１と、眼基礎部品１１とは異なる１種類の樹脂材料からなる第１眼表現部品１２とを一体の成形品とした２次成形品Ｅ２を示す。第１眼表現部品１２を成形する樹脂材料としては、例えば黒色の樹脂材料を例示することができ、眼１０ａの瞳孔等を表現する。
【００１８】
図３（Ｂ）に示す２次成形品Ｅ２を成形する際には、１次成形品Ｅ１を成形した後、１次成形品Ｅ１を成形した金型とは別の金型または同一の金型の別の部分へ１次成形品Ｅ１を移送し、上記黒色の樹脂材料で第１眼表現部品１２を１次成形品Ｅ１に被覆するように成形する。したがって、１次成形品Ｅ１と第１眼表現部品１２とを一体の成形品とした２次成形品Ｅ２は、１次成形品Ｅ１（眼基礎部品１１）を用いたインサート成形（１次成形品Ｅ１をインサート部品としたインサート成形）により形成される。最終成形品において表面に露出する箇所を第２露出部１２ａで示す。
【００１９】
図３（Ｃ）は、２次成形品Ｅ２と、眼基礎部品１１とは異なる二種類の樹脂からなる第２眼表現部品１３及び第３眼表現部品１４とを一体に成形した３次成形品Ｅ３（最終成形品）を示す。第２眼表現部品１３を成形する樹脂材料としては、例えば灰色の樹脂材料を例示することができ、フィギュアのまぶたによる白目部分の影を表現している。第３眼表現部品１４を成形する樹脂材料としては、例えば紫色の樹脂材料を例示することができ、フィギュアの眼１０ａの虹彩の部分を表現している。
【００２０】
図３（Ｃ）に示す３次成形品Ｅ３を成形する際には、２次成形品Ｅ２を成形した後、２次成形品Ｅ２を成形した金型とは別の金型または同一の金型の別の部分へ２次成形品Ｅ２を移送し、上記灰色の樹脂材料で第２眼表現部品１３を及び上記紫色の樹脂材料で第３眼表現部品１４を２次成形品Ｅ２に被覆するように成形する。なお第２眼表現部品１３及び第３眼表現部品１４を成形する際には、部品の配置等によって互いの樹脂が混ざり合うことがない場合、多色成形の技術を用いて同時にそれぞれの樹脂材料を射出成型することができる。したがって、２次成形品Ｅ２と、第２眼表現部品１３及び第３眼表現部品１４とを一体の成形品とした３次成形品Ｅ３は、２次成形品Ｅ２を用いたインサート成形及び多色成形により形成される。最終成形品において表面に露出する箇所を第３露出部１３ａ及び第４露出部１４ａで示す。
【００２１】
以上のように、眼部品１０の眼１０ａは、複数種類の樹脂を使用したインサート成形を繰り返すことで成形される。したがって、従来、印刷やシールによって提供した眼の表現を高い精度で、容易に形成することができる。さらにプラスチックモデルのようにユーザに組み立ての一部を実行させる場合であっても、眼の表現としてユーザによるシール貼り工程をなくすことができ、シール貼りや塗装等の高い技術がなくても、ユーザにとっても違和感のない形で満足のいく完成品を作成することができる。
【００２２】
＜顔面部品２０＞
図４に顔面部品２０の斜視図を示す。図４（Ａ）は、顔面部品２０の表側を示し、図４（Ｂ）は顔面部品２０の裏側を示す。顔面部品２０は、表情部品２１と、表情部品２１の少なくとも一部を被覆して表情部品２１と一体に成形された肌部品２５とを備えている。また、顔面部品２０には、眼部品１０の一部（眼１０ａ）を露出させる孔部２０ａが形成される。表情部品２１はその一部が、肌部品２５から露出することで、少なくともまつ毛または眉毛のいずれか一方を表現し、まぶたの影を表現してもよい。肌部品２５は、例えば肌色の樹脂材料で成形され、フィギュアの顔の肌の部分を形成する。
【００２３】
本実施形態において表情部品２１は、少なくとも孔部２０ａの周縁の一部に配置され、まつ毛を表現するまつ毛部分２２ａと、まつ毛部分からは離れて配置された眉毛部分２３ａと、まつ毛部分２２ａと眉毛部分２３ａとの間に、まぶたの影を表現するまぶた部分２４ａとを含む。まつ毛部分２２ａと眉毛部分２３ａとまぶた部分２４ａとは異なる樹脂材料で成形される。
【００２４】
図５に示すように表情部品２１は、３色の樹脂材料を使用したインサート成形によって形成される。表情部品２１は、１次表情部品２２と、１次表情部品２２の少なくとも一部を被覆して１次表情部品２２と一体に成形された２次表情部品２３及び３次表情部品２４とを備える。図５に表情部品２１が形成されるまでの、成形工程における各段階の成形品を示す。
【００２５】
図５（Ａ）は、１次成形品Ｆ１としての１次表情部品２２を示す。図５（Ｂ）は、１次表情部品２２を用いたインサート成形（１次表情部品２２をインサート部品としたインサート成形）により、１次表情部品２２と１種類の異なる樹脂材料からなる２次表情部品２３とを一体の成形品とした２次成形品Ｆ２を示す。図５（Ｃ）は、２次成形品Ｆ２を用いたインサート成形（２次成形品Ｆ２をインサート部品としたインサート成形）により、２次成形品Ｆ２と１種類の異なる樹脂材料からなる３次表情部品２４とを一体の成形品とした３次成形品Ｆ３を示す。本実施形態においては、３次成形品Ｆ３が表情部品２１の最終成形品となる。
【００２６】
各図において図中上下方向２段にわたって各成形品の異なった方向から見た斜視図が示されており、上段が成形品を略正面（表側）から見た斜視図、下段が裏側から見た斜視図である。なお正面とは、形象物Ａの顔の正面である。
【００２７】
図５（Ａ）は、表情部品２１の１次表情部品２２を含む１次成形品Ｆ１を示す。本実施形態において１次表情部品２２は黒色の樹脂材料で成形され、フィギュアの眼１０ａの周縁に配置されるまつ毛を表現する部分を含む。最終成形品において肌部品２５から表面に露出する部分をまつ毛部分２２ａで示す。
【００２８】
まつ毛部分２２ａは、１次表情部品２２の底面から立ち上がって形成され、さらに表面に露出する部分は、細い線状部分または極小のＲによって形成された角部分として形成されている場合がある。このようなまつ毛部分２２ａは、インサート成形に際して、１次成形品Ｆ１を金型から外す際、または次なる金型に埋没される際に、金型内で折れてしまったり、欠けてしまったりして損傷してしまう場合がある。このような損傷を防止するために、まつ毛部分２２と１次表情部品２２の底面との接合部分に肉盛り部を形成したり、１次表情部品２２の底面からまつ毛部分２２にわたってテーパ面を設ける等して補強してもよい。
【００２９】
また１次表情部品２２は、孔部２２ｂ、２２ｃ、切欠き部２２ｄを備える。孔部２２ｂ、２２ｃ、切欠き部２２ｄは、それぞれ射出形成後、型を開く際、１次成形品Ｆ１がコア側（突出しピンの有る側）と反対側の金型へ持って行かれないように、コア側の金型との接触面積を増やし、コア側へ引っ張るために設けられている。また孔部２２ｂ、２２ｃ、切欠き部２２ｄは、後述する２次表情部品２３、３次表情部品２４によって埋められる。
【００３０】
図５（Ｂ）は、１次成形品Ｆ１と、１次表情部品２２とは異なる１種類の樹脂材料からなる２次表情部品２３とを一体の成形品とした２次成形品Ｆ２を示す。２次表情部品２３を成形する樹脂材料としては、例えば茶色の樹脂材料を例示することができ、フィギュアの眉毛を表現する。
【００３１】
図５（Ｂ）に示す２次成形品Ｆ２を成形する際には、１次成形品Ｆ１を成形した後（前段階成形）、１次成形品Ｆ１を成形した金型とは別の金型または同一の金型の別の部分へ１次成形品Ｆ１を移送し、上記茶色の樹脂材料で２次表情部品２３を１次成形品Ｆ１に被覆するように成形する。したがって、１次成形品Ｆ１と２次表情部品２３とを一体の成形品とした２次成形品Ｆ２は、１次成形品Ｆ１を用いたインサート成形（１次成形品Ｆ１をインサート部品としたインサート成形）により形成される。最終成形品において肌部品２５から表面に露出する部分を眉毛部分２３ａで示す。
【００３２】
眉毛部分２３ａもまつ毛部分２２ａと同様に、その根元部分に肉盛り部やテーパ面が形成されていてもよい。また２次表情部品の一部２３ｂは、１次表情部品２２の孔部２２ｂに埋設される。
【００３３】
図５（Ｃ）は、２次成形品Ｆ２と、２次表情部品２３とは異なる１種類の樹脂材料からなる３次表情部品２４とを一体の成形品とした３次成形品Ｆ３（最終成形品）を示す。３次表情部品２４を成形する樹脂材料としては、例えばうす茶色の樹脂材料を例示することができ、フィギュアのまぶたによって形成された肌の影を表現する。
【００３４】
図５（Ｃ）に示す３次成形品Ｆ３を成形する際には、２次成形品Ｆ２を成形した後、２次成形品Ｆ２を成形した金型とは別の金型または同一の金型の別の部分へ２次成形品Ｆ２を移送し、上記うす茶色の樹脂材料で３次表情部品２４を２次成形品Ｆ２に被覆するように成形する。したがって、２次成形品Ｆ２と３次表情部品２４とを一体の成形品とした３次成形品Ｆ３は、２次成形品Ｆ２を用いたインサート成形（２次成形品Ｆ２をインサート部品としたインサート成形）により形成される。こうして表情部品２１が成形される。最終成形品において肌部品２５から表面に露出する部分をまぶた部分２４ａで示す。
【００３５】
まぶた部分２４ａもまつ毛部分２２ａと同様に、その根元部分に肉盛り部やテーパ面が形成されていてもよい。また３次表情部品の一部２４ｃは、１次表情部品２２の孔部２２ｃ及び切欠き部２２ｄに埋設される。
【００３６】
さらに表情部品２１（３次成形品Ｆ３）を用いたインサート成形（３時成形品Ｆ３をインサート部品としたインサート成形）により、例えば肌色の樹脂材料で肌部品２５を表情部品２１に被覆するように成形することで顔面部品２０が成形される。以上のように、顔面部品２０は、表情部品２１の１次成形品Ｆ１を用いて（１次成形品Ｆ１をインサート部品として）、複数種類の樹脂を使用したインサート成形を繰り返すことで、表情部品２１及び肌部品２５が一体の成形品として成形されることにより形成される。
【００３７】
なお、眼部品１０と顔面部品２０とは異なる光沢を有するように成形されていてもよい。例えば、眼部品１０は、ポリスチレン樹脂等の透明性の高い樹脂材料で成形し、顔面部品２０はポリスチレン樹脂にゴム等を配合してつやを抑え、肌の質感を出した樹脂で成形してもよい。
【００３８】
以上説明してきたように、本実施形態においては、高い精度で、容易に眼の表現を可能とすることができる。さらにフィギュアの顔のような、顔表現部材の位置が少しでもおかしくなると違和感を感じる商品においても、各顔表現部材の位置を正確に配置することができる。したがって、プラスチックモデルによるフィギュアにおいて、ユーザにとっても違和感のない形で満足のいく完成品とすることが可能となる。
【符号の説明】
【００３９】
１０  眼部品、２０  顔面部品、２１  表情部品、Ａ  形象物
【図１】
2020108845.tif 000003
【図２】
2020108845.tif 000004
【図３】
2020108845.tif 000005
【図４】
2020108845.tif 000006
【図５】
2020108845.tif 000007
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
眼部品を顔面部品に組み付けて顔を形成する形象物であって、
前記眼部品は、一対の眼基礎部品と、前記一対の眼基礎部品と一体に成形され、前記一対の眼基礎部品の少なくとも一部を被覆する一対の眼表現部品とを備え、
前記顔面部品には一対の孔部が形成されており、前記眼部品が組み付けられた際に、前記一対の孔部の一方からは、前記一対の眼基礎部品の一方の一部および前記一対の眼表現部品の一方の一部が露出し、かつ、前記一対の孔部の他方からは、前記一対の眼基礎部品の他方の一部および前記一対の眼表現部品の他方の一部が露出することを特徴とする形象物。
【請求項２】
前記一対の眼基礎部品の色と前記一対の眼表現部品の色とは異なることを特徴とする請求項１に記載の形象物。
【請求項３】
前記眼部品と前記顔面部品とは異なる光沢を有することを特徴とする請求項１または２に記載の形象物。
【請求項４】
前記眼部品は、前記一対の眼基礎部品を含む１次成形品と前記一対の眼基礎部品とは異なる少なくとも一種類の樹脂からなる前記一対の眼表現部品とを一体の成形品とすることにより形成されることを特徴とする請求項１から３のいずれか１項に記載の形象物。
【請求項５】
前記眼部品は、複数種類の樹脂を使用したインサート成形を繰り返すことで成形されることを特徴とする請求項１から４のいずれか１項に記載の形象物。
【請求項６】
前記眼部品は、前記一対の眼基礎部品と一体に成形され、前記一対の眼基礎部品の少なくとも一部を被覆する別の一対の眼表現部品をさらに備え、
前記眼部品が組み付けられた際に、前記一対の孔部の一方からは、前記一対の眼基礎部品の一方の一部および前記一対の眼表現部品の一方の一部および前記別の一対の眼表現部品の一方の一部が露出し、かつ、前記一対の孔部の他方からは、前記一対の眼基礎部品の他方の一部および前記一対の眼表現部品の他方の一部および前記別の一対の眼表現部品の他方の一部が露出し、
前記一対の眼基礎部品の色と前記一対の眼表現部品の色と前記別の一対の眼表現部品の色とはそれぞれ異なることを特徴とする請求項１から５のいずれか１項に記載の形象物。
【請求項７】
一対の眼基礎部品と、前記一対の眼基礎部品と一体に成形され、前記一対の眼基礎部品の少なくとも一部を被覆する一対の眼表現部品とを備える眼部品を、顔面部品に組み付けて顔を形成する形象物の製造方法であって、
前記一対の眼基礎部品を成形する眼基礎部品成形工程と、
前記一対の眼基礎部品と前記一対の眼基礎部品とは異なる少なくとも一種類の樹脂からなる前記一対の眼表現部品とから前記眼部品を成形する眼部品成形工程と、を備え、
前記顔面部品には一対の孔部が形成されており、前記眼部品が組み付けられた際に、前記一対の孔部の一方からは、前記一対の眼基礎部品の一方の一部および前記一対の眼表現部品の一方の一部が露出し、かつ、前記一対の孔部の他方からは、前記一対の眼基礎部品の他方の一部および前記一対の眼表現部品の他方の一部が露出することを特徴とする形象物の製造方法。
【請求項８】
ユーザに組み立ての一部を実行させるプラスチックモデルであって、
顔を形成する眼部品と顔面部品とを備え、
前記眼部品は、一対の眼基礎部品と、前記一対の眼基礎部品と一体に成形され、前記一対の眼基礎部品の少なくとも一部を被覆する一対の眼表現部品とを備え、
前記顔面部品には一対の孔部が形成されており、前記眼部品が前記顔面部品に組み付けられた際に、前記一対の孔部の一方からは、前記一対の眼基礎部品の一方の一部および前記一対の眼表現部品の一方の一部が露出し、かつ、前記一対の孔部の他方からは、前記一対の眼基礎部品の他方の一部および前記一対の眼表現部品の他方の一部が露出することを特徴とするプラスチックモデル。
【請求項９】
ユーザに組み立ての一部を実行させるプラスチックモデルの製造方法であって、前記プラスチックモデルは顔を形成する眼部品と顔面部品とを備え、前記眼部品は一対の眼基礎部品と、前記一対の眼基礎部品と一体に成形され、前記一対の眼基礎部品の少なくとも一部を被覆する一対の眼表現部品とを備え、
前記製造方法は、
前記顔面部品を製造する顔面部品製造工程と、
前記一対の眼基礎部品を成形する眼基礎部品成形工程と、
前記一対の眼基礎部品と前記一対の眼基礎部品とは異なる少なくとも一種類の樹脂からなる前記一対の眼表現部品とから前記眼部品を成形する眼部品成形工程と、を備え、
前記顔面部品には一対の孔部が形成されており、前記眼部品が前記顔面部品に組み付けられた際に、前記一対の孔部の一方からは、前記一対の眼基礎部品の一方の一部および前記一対の眼表現部品の一方の一部が露出し、かつ、前記一対の孔部の他方からは、前記一対の眼基礎部品の他方の一部および前記一対の眼表現部品の他方の一部が露出することを特徴とする製造方法。
【手続補正２】
【補正対象書類名】明細書
【補正対象項目名】０００７
【補正方法】変更
【補正の内容】
【０００７】
本発明の一態様によると、例えば、眼部品を顔面部品に組み付けて顔を形成する形象物であって、前記眼部品は、眼基礎部品と、前記眼基礎部品の少なくとも一部を被覆して前記眼基礎部品と一体に成形された眼表現部品とを備え、前記顔面部品には、前記眼部品が組み付けられた際に、前記眼部品の一部が露出する孔部が形成されている。
本発明の別の態様も、形象物である。この形象物は、眼部品を顔面部品に組み付けて顔を形成する形象物であって、前記眼部品は、一対の眼基礎部品と、前記一対の眼基礎部品と一体に成形され、前記一対の眼基礎部品の少なくとも一部を被覆する一対の眼表現部品とを備え、前記顔面部品には一対の孔部が形成されており、前記眼部品が組み付けられた際に、前記一対の孔部の一方からは、前記一対の眼基礎部品の一方の一部および前記一対の眼表現部品の一方の一部が露出し、かつ、前記一対の孔部の他方からは、前記一対の眼基礎部品の他方の一部および前記一対の眼表現部品の他方の一部が露出する。